(57)【要約】【課題】土砂を堰き止め、土砂が透過部を通過することを抑制することができる堰堤を提供する。【解決手段】本発明に係る堰堤１は、上流側に面する上流壁部１２および下流側に面する下流壁部１３を有し、河川の両岸からそれぞれ延出する一対の袖部１０と、一対の袖部１０の間で流水を通す透過部２０と、袖部１０の上流壁部１２に着脱自在に設けられて、透過部２０の上流側の開口を覆って、土砂を堰き止める不透過壁部４０とを備える。【選択図】図１
2019183485.tif 000002
【特許請求の範囲】
【請求項１】
上流側に面する上流壁部および下流側に面する下流壁部を有し、河川の両岸からそれぞれ延出する一対の袖部と、
前記一対の袖部の間で流水を通す透過部と、
前記袖部の前記上流壁部に着脱自在に設けられて、前記透過部の上流側の開口を覆って、土砂を堰き止める不透過壁部と、
を備えることを特徴とする堰堤。
【請求項２】
前記不透過壁部は、
高さ方向において所定の間隔をおいて前記一対の袖部に前記上流壁部側で架け渡された複数の横梁材と、
所定の間隔をおいて前記横梁材に交差して設けられた複数の縦梁材と、
前記縦梁材間に取り付けられた壁面材と、
を備えることを特徴とする請求項１に記載の堰堤。
【請求項３】
前記透過部に上流から流れてくる物体を捕捉して流水を流す捕捉体を備えることを特徴とする請求項１または２に記載の堰堤。
【請求項４】
一端が前記不透過壁部に固定されていて、他端が前記捕捉体に固定されている支持材を備え、
前記支持材は、前記不透過壁部側から前記捕捉体に向かうにつれて下方に傾斜している
ことを特徴とする請求項３に記載の堰堤。
【請求項５】
前記一対の非越流部は、前記上流壁部と前記下流壁部との間を延在する側壁部を有し、
前記捕捉体は、
一端が前記透過部に固定され、上方に向かうにつれて下流側に傾斜した第１の脚部、および、一端が前記透過部に固定され、他端が前記第１の脚部に固定され、上方に向かうにつれて上流側に傾斜した第２の脚部、を有する複数の柱部と、
各柱部同士を連結する複数の梁部と、
一端が前記柱部に固定されており、他端が前記側壁部に固定されて前記一対の袖部と前記捕捉体とを連結する連結部と、
を備える
ことを特徴とする請求項３または４に記載の堰堤。
【請求項６】
前記柱部は、前記連結部の一端を固定する固定部を有し、
前記側壁部は、前記連結部の他端を収容する収容部を有する
ことを特徴とする請求項５に記載の堰堤。
【請求項７】
上流側に面する上流壁部と、下流側に面する下流壁部と、前記上流壁部と前記下流壁部との間を延在する側壁部と、を有する、河川の両岸からそれぞれ延出する一対の非越流部、および、前記一対の非越流部の間で流水を通す透過部、を有する堰堤において、前記透過部に設けられて上流から流れてくる物体を捕捉して流水を流す捕捉体であって、
一端が前記透過部に固定され、上方に向かうにつれて下流側に傾斜した第１の脚部、および、一端が前記透過部に固定され、他端が前記第１の脚部に固定され、上方に向かうにつれて上流側に傾斜した第２の脚部、を有する複数の柱部と、
各柱部同士を連結する複数の梁部と、
一端が前記柱部に固定されており、他端が前記側壁部に固定されて前記一対の袖部と前記捕捉体とを連結する連結部と、
を備えることを特徴とする捕捉体。
【発明の詳細な説明】
【技術分野】
【０００１】
本発明は、河川等に設置される堰堤および堰堤に設けられる捕捉体に関する。
【背景技術】
【０００２】
山岳地の渓流などにおいて、土砂災害を防止する砂防堰堤が知られている。従来の砂防堰堤１００は、図６に示すように、上流側から流れ込む土石流等の越流を阻止する一対の非越流部（袖部）１１０と、一対の袖部１１０の間に、土石流等を捕捉させる透過部１２０と、鋼管により形成されて透過部１２０に設けられた捕捉体１３０と、を備える。
【先行技術文献】
【特許文献】
【０００３】
【特許文献１】特開２０１４−１７３２３２号公報
【発明の概要】
【発明が解決しようとする課題】
【０００４】
ところで、土石流等の災害が発生した河川においては、災害発生後、所定の期間、例えば、数日から数年にわたって、上流から下流に向かって土砂等が流れ続けることがある。流れてきた土砂は、堰堤の透過部における捕捉体では捕捉できず、河川の下流側に堆積することがあった。そのため、堰堤において災害発生後に上流からの土砂等を堰き止めたいという要望がった。
【０００５】
そこで、本発明は、上記課題に鑑みてなされたものであり、土砂を堰き止め、土砂が透過部を通過することを抑制することができる堰堤を提供することを目的とする。
【課題を解決するための手段】
【０００６】
上記課題を解決するために、本発明は、上流側に面する上流壁部および下流側に面する下流壁部を有し、河川の両岸からそれぞれ延出する一対の袖部と、前記一対の袖部の間で流水を通す透過部と、前記袖部の前記上流壁部に着脱自在に設けられて、前記透過部の上流側の開口を覆って、土砂を堰き止める不透過壁部と、を備えることを特徴とする。
【０００７】
また、前記不透過壁部は、高さ方向において所定の間隔をおいて前記一対の袖部に前記上流壁部側で架け渡された複数の横梁材と、所定の間隔をおいて前記横梁材に交差して設けられた複数の縦梁材と、前記縦梁材間に取り付けられた壁面材と、を備えることが好ましい。
【０００８】
また、前記透過部に上流から流れてくる物体を捕捉して流水を流す捕捉体を備えることが好ましい。また、一端が前記不透過壁部に固定されていて、他端が前記捕捉体に固定されている支持材を備え、前記支持材は、前記不透過壁部側から前記捕捉体に向かうにつれて下方に傾斜していることが好ましい。
【０００９】
前記一対の非越流部は、前記上流壁部と前記下流壁部との間を延在する側壁部を有し、前記捕捉体は、一端が前記透過部に固定され、上方に向かうにつれて下流側に傾斜した第１の脚部、および、一端が前記透過部に固定され、他端が前記第１の脚部に固定され、上方に向かうにつれて上流側に傾斜した第２の脚部、を有する複数の柱部と、各柱部同士を連結する複数の梁部と、一端が前記柱部に固定されており、他端が前記側壁部に固定されて前記一対の袖部と前記捕捉体とを連結する連結部と、を備えることが好ましい。
【００１０】
また、前記柱部は、前記連結部の一端を固定する固定部を有し、前記側壁部は、前記連結部の他端を収容する収容部を有することが好ましい。
【００１１】
さらに、上記課題を解決するために本発明は、上流側に面する上流壁部と、下流側に面する下流壁部と、前記上流壁部と前記下流壁部との間を延在する側壁部と、を有する、河川の両岸からそれぞれ延出する一対の非越流部、および、前記一対の非越流部の間で流水を通す透過部、を有する堰堤において、前記透過部に設けられて上流から流れてくる物体を捕捉して流水を流す捕捉体であって、一端が前記透過部に固定され、上方に向かうにつれて下流側に傾斜した第１の脚部、および、一端が前記透過部に固定され、他端が前記第１の脚部に固定され、上方に向かうにつれて上流側に傾斜した第２の脚部、を有する複数の柱部と、各柱部同士を連結する複数の梁部と、一端が前記柱部に固定されており、他端が前記側壁部に固定されて前記一対の袖部と前記捕捉体とを連結する連結部と、を備えることを特徴とする。
【発明の効果】
【００１２】
本発明によれば、土砂を堰き止め、土砂が透過部を通過することを抑制することができる。
【図面の簡単な説明】
【００１３】
【図１】一実施の形態に係る砂防堰堤を上流側から見た斜視図である。
【図２】砂防堰堤における透過部を上方から見た平面図である。
【図３】捕捉体を説明するための捕捉体の正面図である。
【図４】砂防堰堤における透過部を側方から見た図である。
【図５】他の実施の形態に係る砂防堰堤における透過部を側方から見た図である。
【図６】従来の砂防堰堤を上流側から見た図である。
【発明を実施するための形態】
【００１４】
［砂防堰堤の構造］
図１乃至図４に基づいて、砂防堰堤の一実施の形態について説明する。図１は、砂防堰堤を上流側から見た斜視図である。図２は、砂防堰堤における透過部を上方から見た平面図であり、天端保護材を一部除去して示した。図３は、捕捉体を説明するための捕捉体の正面図であり、不透過壁部は示されていない。図４は、砂防堰堤における透過部を側方から見た図である。
砂防堰堤（堰堤）１は、河川の両岸から河川中央に張り出して設けられている一対の非越流部（袖部）１０と、非越流部１０の間に形成された透過部２０と、透過部２０に設けられた捕捉体３０と、透過部２０の上流側の開口を覆う不透過壁部４０と、を備える。
【００１５】
＜非越流部＞
一対の非越流部１０は、河川の上流側から流れ込む土石流の越流を阻止するものであり、基礎コンクリート１１上に設置されている。非越流部１０は、上流壁部１２と、下流壁部１３と、側壁部１４と、天端保護材１５とを有する。
なお、上流壁部１２、下流壁部１３、側壁部１４および天端保護材１５によって囲まれた空間内は、基礎コンクリート１１を設置する際に発生した現地発生土砂と、セメント・セメントミルクとを撹拌・混練して製造したソイルセメントである中詰材１６によって打設される。中詰材１６の固化により、中詰材１６の重量で土石流の衝撃を受け止めることになる。
【００１６】
（上流壁部）
上流壁部１２は、河川の上流に面しており、上流からの流水、土石流の衝撃を受け止める壁部であり、河川の岸に隣接している。
上流壁部１２は、断面が波形状に形成された矩形板状の鋼板パネルを複数枚連結することによって構築されている。鋼板パネル同士は、ボルトおよびナットで連結されており、その繋ぎ目にはシールテープ等が貼り付けられて止水されていてもよい。上流壁部１２を構成する鋼板パネルは、それぞれが波形状に形成されているものの、壁部全体として見た際に略平面状に形成されている。上流壁部１２は、上端から下端に向かうにつれて上流側に向けて下方に傾斜する法面が形成されるように構築されている。
両方の上流壁部１２には、後述する不透過壁部４０の横梁材４１が取り付けられる位置に、所定の取付部（図示せず）が複数箇所に形成されている。取付部は、例えば、鋼板パネルに取り付けられたボルト等であってよい。
【００１７】
（下流壁部）
下流壁部１３は、河川の下流に面しており、上流壁部１２から所定の間隔をあけて配置されていて、河川の岸に隣接している。
下流壁部１３は、断面が波形状に形成された矩形板状の鋼板パネルを複数枚連結することによって構築されている。鋼板パネル同士は、ボルトおよびナットで連結されており、その繋ぎ目にはシールテープ等が貼り付けられて止水されていてもよい。下流壁部１３を構成する鋼板パネルは、それぞれが波形状に形成されているものの、壁部全体として見た際に略平面状に形成されている。
下流壁部１３は、上端から下端に向かうにつれて下流側に向けて下方に傾斜するように構築されている。なお、下流壁部１３は、鋼板パネルに代えてコンクリートパネルを用いてもよい。
【００１８】
（側壁部）
側壁部１４は、透過部２０に面しており、河川の流れ方向において上流壁部１２と下流壁部１３との間に延在している。側壁部１４は、断面が波形状に形成された矩形板状の鋼板パネルを複数枚連結することによって構築されている。鋼板パネル同士は、ボルトおよびナットで連結されており、その繋ぎ目にはシールテープ等が貼り付けられて止水されていてもよい。側壁部１４を構成する鋼板パネルは、それぞれが波形状に形成されているものの、壁部全体として見た際に略平面状に形成されている。側壁部１４は、基礎コンクリート１１の上面に直立するように構築されている。
上流壁部１２に連続する側壁部１４の接続部は、湾曲部１４ａとして形成されている。湾曲部１４ａは、その表面が湾曲面を有しているので、例えば、不透過壁部４０が構築されていない場合に巨大な岩石や流木等が衝突した際、損傷しにくくなっており、流下する土石流等が透過部２０に流入する際、渦状の流れが発生しにくくなっている。
側壁部１４の、後述する捕捉体３０の連結部３３を収容する部分には、例えば、凹部（収容部）１４ｂが形成されている。凹部１４ｂは、側壁部１４の鋼板パネルを切断して除去するとともに、中詰材１６を取り除くことにより形成されている。
【００１９】
（天端保護材）
天端保護材１５は、打設された中詰材１６の上面を覆うものであって、コンクリートで形成されている。天端保護材１５は、中詰材１６の保護層（水の遮断層）として機能している。
【００２０】
＜透過部＞
透過部２０は、一対の非越流部１０間に設けられ、流水を透過させるものである。透過部２０は、河川の底部に設けられた基礎コンクリート２１を有する。
【００２１】
＜捕捉体＞
捕捉体３０は、透過部２０の基礎コンクリート２１上に設置されており、鋼管または鋼製もしくはコンクリート製の柱体を組み立てた柵体として形成されている。捕捉体３０は、河川の流水や小さな土砂を通過させ、土石流の発生時に巨大な岩石や流木を捕捉する。
捕捉体３０は、複数の柱部３１と、柱部３１間に架け渡された梁部３２と、捕捉体３０を非越流部１０の側壁部１４に連結する連結部３３と、を有する。
柱部３１は、一端が基礎コンクリート２１に埋設されて、他端（上方）に向かって下流側に傾斜した第１の脚部３１ａと、一端が基礎コンクリート２１に埋設されていて、他端（上方）に向かって上流側に傾斜した２本の第２の脚部３１ｂとを有する。２本の第２の脚部３１ｂは、互いに河川の流れ方向において所定の間隔をおいて設けられており、各第２の脚部３１ｂの他端は、第１の脚部３１ａに連結されている。２本の第２の脚部３１ｂは、互いに鋼管により連結されている。
第１の脚部３１ａは、その上方の端部近傍に後述する連結部３３が固定される固定部（図示せず。）を有する。固定部は、非越流部１０の側壁部１４を臨む第１の脚部３１ａの位置に設けられている。
梁部３２は、捕捉体３０の高さ方向において所定の間隔をおいて複数設けられている。
【００２２】
連結部３３は、複数の柱部３１のうち幅方向における両端に設けられた柱部３１と、各非越流部１０の側壁部１４との間に設けられ、捕捉体３０を非越流部１０に連結している。連結部３３は、例えば、鋼管により形成されており、一端が第１の脚部３１ａの固定部に、例えば、ボルトおよびナットにより着脱自在に取り付けられており、他端が側壁部１４の凹部１４ｂに収容されて、例えば、ソイルセメント等により非越流部１０に固定されている。連結部３３は、捕捉体３０の高さ方向において最上段にある梁部３２と同じ高さ位置にある。
【００２３】
＜不透過壁部＞
不透過壁部４０は、透過部２０の上流側の開口を覆って設けられており、不透過の状態では正面からの流水および土砂を堰き止める。
不透過壁部４０は、横梁材４１と、縦梁材４２と、壁面部４３と、支持材４４と、を有する。横梁材４１は、Ｈ形鋼により形成されており、堰堤１の透過部２０に架け渡されている。具体的には、横梁材４１は、透過部２０を横切るようにして一方の上流壁部１２から他方の上流壁部１２に架け渡されている。
横梁材４１は、堰堤１の高さ方向に所定の間隔をおいて複数設けられており、Ｈ鋼の一対のフランジ部のうち一方の側で上流壁部１２の所定の取付部に着脱自在に取り付けられている。具体的には、一方のフランジ部には上流壁部１２の取付部である、例えば、ボルトが挿通される孔が形成されており、当該ボルトにナットを嵌めることにより、横梁材４１は上流壁部１２に取り付けられる。したがって、横梁材４１は、上流壁部１２に対して着脱自在に取り付けられている。
さらに、横梁材４１の一方のフランジ部には、後述する支持材４４の一端が取り付けられる複数の孔が形成されている。横梁材４１の他方のフランジ部には、後述する縦梁材４２と重なる位置に孔（図示せず。）が形成されている。
【００２４】
縦梁材４２は、堰堤１の幅方向に所定の間隔をおいて複数設けられており、Ｈ形鋼により形成されている。縦梁材４２は、架け渡された複数の横梁材４１に対して交差して縦方向に延在して設けられている。縦梁材４２は、一対のフランジ部のうち一方のフランジ部には、横梁材４１の他方のフランジ部に形成された孔と重なる位置に孔が形成されている。縦梁材４２の一方のフランジ部に形成された孔を、横梁材４１の他方のフランジ部に形成された孔に整合させてボルトを挿通し、当該ボルトにナットを嵌めることにより、縦梁材４２は横梁材４１に取り付けられる。したがって、縦梁材４２は、横梁材４１に対して着脱自在に取り付けられている。
縦梁材４２の他方のフランジ部には、長手方向に沿って、後述する壁面材４３ａを縦梁材４２に取り付けるための、例えば、ボルト等が挿通される複数の孔が形成されている。
【００２５】
壁面部４３は、断面が波形状に形成された矩形板状の複数の壁面材（壁面板）４３ａにより形成されている。壁面材４３ａは、隣り合う縦梁材４２の間に複数挿入されて、幅方向における両端部において縦梁材４２の他方のフランジ部に着脱自在に取り付けられている。図１においては、一対の縦梁材４２の間に１枚の壁面材４３ａのみ示されているが、一対の縦梁材４２の間には、複数の壁面材４３ａが取り付けられている。
壁面材４３ａは、その幅方向における両端部に長手方向に沿って、当該壁面材４３ａを縦梁材４２に取り付けるための、例えば、ボルト等が挿通される複数の孔が形成されている。壁面材４３ａの幅方向の両端部における複数の孔と、縦梁材４２の他方のフランジ部に形成された孔とを整合させてボルトを挿通し、当該ボルトにナットを嵌めることにより、壁面材４３ａは縦梁材４２に取り付けられる。したがって、壁面材４３ａは、縦梁材４２に対して着脱自在に取り付けられている。
複数の壁面材４３ａが縦梁材４２の間に取り付けられており、壁面材４３ａは、堰堤１を正面から見た場合に透過部２０が完全に隠れるように壁面部４３を形成している。
なお、壁面部４３は、少なくとも横梁材４１の分だけ透過部２０に対して離間しており、不透過壁部４０が設けられた堰堤１においては、上流から下流へと流れる土砂の大部分を堰き止めつつ、不透過壁部４０の側方および下方から透過部２０へ水は流される。
例えば、壁面材４３ａと同様の板材を設けることにより（図示せず。）、透過部２０への側方および下方からの流水および土砂の侵入を防ぐようにしてもよい。
【００２６】
支持材４４は、鋼管により形成されている。支持材４４は、不透過壁部４０と捕捉体３０との間に設けられており、一端が不透過壁部４０の横梁材４１に固定されており、他端が捕捉体３０の各柱部３１に固定されている。
支持材４４の一端は、複数の孔が形成されたフランジ部を有し、当該フランジ部の孔を横梁材４１の一方のフランジ部に形成された孔に整合させてボルトを挿通し、当該ボルトにナットを嵌めることにより、支持材４４は着脱自在に横梁材４１に取り付けられる。また、支持材４４の他端は、各柱部３１の第１の脚部３１ａに着脱自在に固定されている。
不透過壁部４０と捕捉体３０との間には、高さ方向および幅方向において複数の支持材４４が設けられている。支持材４４は、不透過壁部４０から捕捉体３０に向かって下方に斜めに延在しており、１つの柱部３１に高さ方向に並んで複数の支持材４４が固定されている。
【００２７】
＜不透過壁部の設置＞
次に、不透過壁部の構築工程について説明する。例えば、土石流等の災害が発生した場合、透過型の堰堤１においては、捕捉体３０において上流から流れてきた土石等を捕捉する。災害後には、捕捉体３０から土石等を除去する。土石流等の災害が発生した河川においては、災害発生後、土砂が上流から下流に流れることがある。流されてきた土砂は、下流側で堆積することがあり、この土砂が下流側に流れて堆積することを抑制したい。
【００２８】
堰堤１の上流壁部１２には、横梁材４１が取り付けられる取付部（例えば、ボルト）が設けられている。まず、一対の非越流部１０の各上流壁部１２に透過部２０を横切るようにして横梁材４１を、上流壁部１２に取り付けることができる。具体的には、横梁材４１は、透過部２０を横切るようにして両上流壁部１２に架け渡され、横梁材４１の一方のフランジ部の孔に、上流壁部１２のボルトを挿通させてナットを取り付ける。
横梁材４１を高さ方向にわたって複数架け渡した後、縦梁材４２を横梁材４１に、当該横梁材４１に交差するように取り付ける。具体的には、縦梁材４２の一方のフランジ部の孔と、横梁材４１の他方のフランジ部の孔とを整合させてボルトを挿通し、ナットを取り付ける。
次いで、壁面材４３ａを隣り合う縦梁材４２の間に挿入し、縦梁材４２に取り付けていく。壁面材４３ａは、幅方向の両端部に長手方向に沿って形成された複数の孔と、縦梁材４２の他方のフランジ部に形成された所定の孔とを整合させて、ボルトおよびナットにより取り付けられる。複数の壁面材４３ａを、高さ方向および幅方向に取り付けることにより壁面部４３が形成される。
不透過壁部４０の形成後、不透過壁部４０と捕捉体３０との間に支持材４４を取り付ける。支持材４４の一端のフランジ部が横梁材４１の一方のフランジ部にボルトおよびナットにより取り付けられ、他端が所定の方法により着脱自在に取り付けられている。
これにより、図１に示すような不透過壁部４０を備えた堰堤１が完成する。
【００２９】
以上のような堰堤１により、河川の状況に応じて不透過壁部４０を簡単に設置することができる。不透過壁部４０は、壁面材４３ａによって透過部２０の上流側の開口を覆って、土砂を堰き止めて、土砂が透過部２０を抜けて下流側へ流れていくことを効果的に抑制することができる。
【００３０】
不透過壁部４０を構成する横梁材４１は、非越流部１０の上流壁部１２に、縦梁材４２は、横梁材４１に、壁面材４３ａは、縦梁材４２に、そして支持材４４は、捕捉体３０および不透過壁部４０に対してそれぞれ着脱自在に取り付けられているので、不透過壁部４０が不要になった場合には当該不透過壁部４０を解体して、再び透過型の堰堤とすることができる。
【００３１】
また、不透過壁部４０は、捕捉体３０に対して支持材４４を介して支持されているので構造上の強度が増し、壁面部４３に対して超過外力が加わった場合であっても十分に耐えることができる。支持材４４は、不透過壁部４０から捕捉体３０に向かって下方に傾斜しているので、不透過壁部４０に加わる荷重は、捕捉体３０を基礎コンクリート２１に押し付ける方向に働く。かくして、不透過壁部４０に加わる荷重を堰堤１全体で受けることができる。
【００３２】
また、堰堤１において、捕捉体３０は、第１の脚部３１ａに連結部３３の一端が取り付けられる固定部を有し、非越流部１０が連結部３３の他端を収容する凹部１４ｂを有しているので、捕捉体３０は、非越流部１０に容易に一体的に連結することができる上に、既存の捕捉体３０を、非越流部１０に対して連結部３３を介して後付けすることができる。
非越流部１０に一体に捕捉体３０が連結されることにより、捕捉体３０の構造上の強度が上がるとともに、堰堤１の構造上の強度も上がる。堰堤１は、不透過壁部４０に加わって支持材４４を介して伝達される超過外力の成分を、捕捉体３０においてのみ受けるのではなく、堰堤１全体において受けることができる。
【００３３】
＜その他＞
なお、本発明は、上記実施の形態に限られるものではなく、本発明の範囲を超えない範囲で適宜変更が可能である。例えば、図４に示すように、上記の実施の形態においては、不透過壁部４０は、透過部２０を完全に覆い隠すように設けられていたが、図５に示すように、透過部２０全体を覆う必要がない場合、最上段の横梁材４１を透過部２０の高さの中間に設置して、透過部２０を部分的に覆うようにして部分透過型の堰堤１を形成してもよい。
【００３４】
また、上記の実施の形態においては、不透過壁部４０を備えた堰堤１であったが、不透過壁部４０を備えていない堰堤としてもよい。この場合、堰堤は、透過型の堰堤となるが、捕捉体３０は、連結部３３を介して非越流部１０に一体に連結されているので、流木や土石等の捕捉時の耐衝撃性が向上している。
【００３５】
また、上記の実施の形態においては、連結部３３は、捕捉体３０の高さ方向において最上段にある梁部３２と同じ高さ位置にあった。しかし、連結部３３は、捕捉体３０と非越流部１０とを連結していれば最上段以外の梁部３２と同じ高さ位置に設けられていても、捕捉体３０の柱部３１のいずれの位置に設けられていてもよい。さらに、連結部３３は、捕捉体３０の高さ方向に沿って複数設けられていてもよい。
【００３６】
また、上記の実施の形態においては、支持材４４の一端は、横梁材４１に取り付けられていたが、縦梁材４２に取り付けられてもよい。
【符号の説明】
【００３７】
１  堰堤
１０  非越流部（袖部）
１２  上流壁部
１３  下流壁部
１４  側壁部
１４ｂ  凹部（収容部）
２０  透過部
３０  捕捉体
３１  柱部
３２  梁部
３３  連結部
４０  不透過壁部
４１  横梁材
４２  縦梁材
４３  壁面部
４３ａ  壁面材
４４  支持材
【図１】
2019183485.tif 000003
【図２】
2019183485.tif 000004
【図３】
2019183485.tif 000005
【図４】
2019183485.tif 000006
【図５】
2019183485.tif 000007
【図６】
2019183485.tif 000008